(57)【特許請求の範囲】
【請求項１】
引き戸（３、４）用ガイドデバイスであって、
ａ）レール（６、６’）に沿って変位可能であるガイド要素（２３、４３、５０、５０’、６０）と、
ｂ）引き戸（３、４）に固定することができるホルダ（１０、３０）と、
ｃ）前記ホルダ（１０、３０）を前記ガイド要素（２３、４３、５０、５０’、６０）に接続するための接続要素（２０、４０）とを備え、
前記接続要素（２０、４０）は少なくとも１つの可撓性ワイヤを含み、
前記ガイド要素（２３、４３、５０、５０’、６０）と前記ホルダ（１０、３０）との間の距離は前記可撓性ワイヤの弾性撓みによって調整可能であり、
前記接続要素（２０）は水平軸を中心として回転可能に取り付けられることを特徴とする
ガイドデバイス。
【請求項２】
前記ガイド要素（２３、４３、５０、５０’、６０）と前記ホルダ（１０、３０）との間の前記接続要素（２０、４０）は、可撓性ワイヤから構成される少なくとも２つの離間された部分（２２、２２’、４２）を含むことを特徴とする
請求項１に記載のガイドデバイス。
【請求項３】
前記可撓性ワイヤは、異なる位置において前記ホルダ（１０、３０）または前記ガイド要素に固定することができる２つの端部部分（２１、４１）を備えることを特徴とする
請求項１又は２に記載のガイドデバイス。
【請求項４】
前記可撓性ワイヤの前記端部部分（２１、４１）を固定するために、前記ホルダ（１０、３０）または前記ガイド要素上に挿入開口（３２、３３）または受け口（１３）が設けられていることを特徴とする
請求項３に記載のガイドデバイス。
【請求項５】
可撓性ワイヤから構成される前記２つの離間された部分（２２、２２’、４２）は互いに交差していることを特徴とする
請求項２〜４のいずれか一項に記載のガイドデバイス。
【請求項６】
前記可撓性ワイヤが、前記レール（６、６’）の長手方向に垂直な側面図で見たときに、Ｕ字状に形成され、前記ホルダ（１０、３０）は、第１の脚部に配置または形成され、前記ガイド要素（２３、４３、５０、５０’、６０）は第２の脚部に配置または形成されることを特徴とする
請求項１〜５のいずれか一項に記載のガイドデバイス。
【請求項７】
前記ガイド要素（２３、４３、５０、５０’、６０）は、前記可撓性ワイヤに取り付けられるか、または、前記可撓性ワイヤと一体的にブラケット状に形成されることを特徴とする
請求項１〜６のいずれか一項に記載のガイドデバイス。
【請求項８】
前記ガイド要素（５０、５０’）は、前記可撓性ワイヤ上で旋回可能に保持されることを特徴とする
請求項７に記載のガイドデバイス。
【請求項９】
前記接続要素（２０）は、前記ガイド要素（２３、４３、５０、５０’、６０）が前記レール（６、６’）の溝に係合する作動位置において前記ホルダ（１０）に掛け留めすることができることを特徴とする
請求項１〜８のいずれか一項に記載のガイドデバイス。
【請求項１０】
家具本体（２）と、ガイドに沿って変位することができる少なくとも１つの引き戸（３、４）とを有する一個のキャビネット家具（１）であって、
請求項１〜９のいずれか一項に記載のガイドデバイスが前記引き戸（３、４）上に設けられていることを特徴とする
一個のキャビネット家具（１）。
【請求項１１】
一個のキャビネット家具に引き戸を取り付けるための方法であって、
引き戸（３、４）にホルダ（１０、３０）を固定するステップであって、前記ホルダ（１０、３０）上にガイド要素（２３、４３、５０、５０’、６０）が設けられており、前記ガイド要素は下部レール（６、６’）に沿って変位可能である、固定するステップと、
前記引き戸（３、４）を上部レール（５）にフック掛けするステップと、
前記下部レール（６、６’）上の溝（７、８）に前記ガイド要素（２３、４３、５０、５０’、６０）を挿入するために、前記ホルダ（１０、３０）に対して前記ガイド要素（２３、４３、５０、５０’、６０）を旋回させるステップとを含む
方法。
【請求項１２】
前記ホルダ（１０、３０）と前記ガイド要素（２３、４３、５０、５０’、６０）との間の接続要素（２０）が、前記ガイド要素（２３、４３、５０、５０’、６０）が前記レール（６、６’）の溝に係合する作動位置において前記ホルダ（１０）に掛け留めすることができることを特徴とする
請求項１１に記載の方法。
【発明の詳細な説明】
【技術分野】
【０００１】
本発明は、レールに沿って動かすことができるガイド要素と、引き戸に固定することができるホルダと、ホルダをガイド要素に接続するための接続要素とを備える、引き戸用ガイドデバイス、および、引き戸を取り付けるための方法に関する。
【背景技術】
【０００２】
特許文献１は、引き戸用ローラガイドを開示しており、ガイドローラがレバーシステムに回転可能に取り付けられており、レバーシステムは、互いに連結式に接続されているガイドレバーおよび支持レバーを備える。  
したがって、ガイドローラは、レールに沿ってばね仕掛けで誘導され、それによって、許容誤差を補償することができ、簡単な取り付けが可能にされる。  
しかしながら、レバー機構は多数の構成要素を必要とする。
【先行技術文献】
【特許文献】
【０００３】
【特許文献１】独国特許出願公開第１０２０１００３７９４０号明細書
【発明の概要】
【発明が解決しようとする課題】
【０００４】
それゆえ、本発明の目的は、取り付けが容易であり、少数の構成要素しか含まない、引き戸用ガイドデバイスを提供することである。  
さらに、一個のキャビネット家具に対する引き戸の取り付けも簡単化される。
【課題を解決するための手段】
【０００５】
この目的は、請求項１の特徴を有するガイドデバイスおよび請求項１３の特徴を有する方法によって達成される。
【０００６】
本発明によれば、ガイドデバイスは、ガイド要素と、ホルダと、ホルダをガイド要素に接続するための接続要素とを備え、接続要素は、可撓性ワイヤを含む。  
したがって、ガイドデバイスは、少数の構成要素のみで構成することができる。  
さらに、可撓性ワイヤを使用することによって、ガイドデバイスの他の設置幅への柔軟な調整が可能になる。  
したがって、複数の異なる長さを可変式に形成することができる。  
さらに、可撓性ワイヤを用いてガイドデバイスを旋回させることによって、戸を簡単に取り付けることが可能になる。
【０００７】
接続要素は好ましくは、ガイド要素とホルダとの間の可撓性ワイヤから構成される少なくとも２つの離間された部分を含む。  
結果として、２つの離間された部分は、たとえば、ホルダとガイド要素との間の距離を設定するために、複数の異なる様式で方向付けられ得る。  
接続要素がワイヤの軸を中心として回転することがさらに阻止される。  
接続要素は、ワイヤの弾性撓みによってガイド要素とホルダとの間の距離を調整することができ、撓みは、弾性域の主要部分に対して行われる。  
塑性域における撓みは、最も可能性の高い範囲に対しては回避されるべきである。  
可撓性ワイヤは、ホルダとガイド要素との間の距離を柔軟に調整するための２つの端部部分を備えることができ、端部部分は、複数の異なる位置においてホルダまたはガイド要素に固定することができる。  
可撓性ワイヤの端部部分を固定するための挿入開口または受け口を設けることができ、それによって、簡単な取り付けが保証される。
【０００８】
可撓性ワイヤの２つの離間された部分は好ましくは互いに交差しており、それによって、交差した部分は、接続要素の長さの変更を実行するために複数の異なる角度に方向付けられ得る。
【０００９】
可撓性ワイヤは、本発明の好ましい実施形態においては、レールの長手方向側面図で見たときにＵ字状に形成され、ホルダが第１の脚部に形成または配置され、ガイド要素が第２の脚部に形成または配置される。
【００１０】
ガイド要素は、可撓性ワイヤのブラケットに取り付けることができ、または、ブラケットと一体的に形成することができる。  
さらに、ガイド要素は、ブラケット上に旋回可能に保持することができ、これによって、家具本体の正面の取り付けが容易になる。
【００１１】
接続要素を簡単に取り付ける目的のために、接続要素は、ホルダ上の水平シャフトに回転可能に取り付けることができる。  
さらに、接続要素は、取り付け位置においてホルダに対して掛け留めすることができる。
【００１２】
追加の構成要素によって、または、確立されている製造方法を用いてのいずれかで互いに接続することができるいくつかの可撓性ワイヤから接続要素を構成することを考慮することもできる。
【００１３】
可撓性ワイヤの材料は好ましくは金属から構成されるが、この事例においてはプラスチックも使用されてもよい。
【００１４】
本発明によるガイドデバイスは、引き戸を有する家具に特に使用されるが、ガイドデバイスの他の目的も可能性がある。
【００１５】
一個のキャビネット家具に引き戸を取り付けるための、本発明による方法において、最初にホルダが引き戸に固定され、下部レールに沿って変位可能であるガイド要素がホルダ上に設けられる。  
その後、ガイド要素を下部レール上の溝に挿入するために、引き戸が上部レールへとフック掛けされ、ガイド要素がホルダに対してフック掛けされる。  
このように、引き戸の取り付けを簡単化することができる。  
可撓性ワイヤが接続要素として使用される場合、これを地面に置くと損傷を回避することができる。
【００１６】
添付の図面に示されているいくつかの実施形態を参照することによって、本発明を下記により詳細に説明する。
【図面の簡単な説明】
【００１７】
【図１】本発明によるガイドデバイスを有する家具本体の斜視図である。
【図２】図１の一個の家具上のガイドデバイスの斜視図である。
【図３Ａ】図２のガイドデバイスを示す図である。
【図３Ｂ】図２のガイドデバイスを示す図である。
【図４】修正されたガイドデバイスの斜視図である。
【図５Ａ】異なる位置における図２のガイドデバイスを示す図である。
【図５Ｂ】異なる位置における図２のガイドデバイスを示す図である。
【図５Ｃ】異なる位置における図２のガイドデバイスを示す図である。
【図６】ガイドデバイスのさらなる実施形態の拡大斜視図である。
【図７】接続要素が取り付けられた後の図６のガイドデバイスの斜視図である。
【図８】異なる位置における図６のガイドデバイスを示す図である。
【図９Ａ】ガイドデバイスのさらなる実施形態を示す図である。
【図９Ｂ】ガイドデバイスのさらなる実施形態を示す図である。
【図１０】図９のガイドデバイスの修正されたガイド要素の斜視図である。
【図１１】修正されたガイド要素の斜視図である。
【発明を実施するための形態】
【００１８】
一個のキャビネット家具１は、第１の引き戸４および第２の引き戸３が変位可能に取り付けられている家具本体２を備える。  
この目的のために、上部レール５は、家具本体２上の本発明によるガイドデバイスの主要な上部および下部レール６に取り付けられる。
【００１９】
図２に示すように、下部レール６は、２つの下向きに開いている溝７および８を備え、第２の引き戸３に接続されているガイド要素が溝７に係合する。  
この目的のために、接続要素２０を介してガイド要素に接続されているホルダ１０が引き戸３に取り付けられている。
【００２０】
図３Ａおよび図３Ｂは、ホルダ１０および接続要素２０を詳細に示す。  
ホルダ１０は、板状構成要素として形成されており、その上に、引き戸３に固定するためのねじを挿入するための２つの開口１１が設けられている。  
ホルダ１０は、下部側にウェブ１２をさらに備え、その上に、接続要素２０の端部部分２１を挿入するためのそれぞれの受け口１３が設けられている。  
受け口１３はそれぞれ、ホルダ１０の両側に形成される。
【００２１】
接続要素２０は、金属、特にステンレス鋼から作られる可撓性ワイヤから構成される。  
接続要素２０は、ホルダ１０上の受け口１３へと挿入することができ、そこで固定される端部部分２１を備える。  
ホルダ１０の正面側に延伸するワイヤの部分２４は、掛け留め受け口１４においてさらに保持され、それによって、接続要素２０を、所定の位置においてホルダ１０に対して掛け留めすることができる。  
接続要素２０は、２つの離間された部分２２をさらに備え、これらの部分は、ホルダ１０から、この実施形態においては実質的にレール６の溝７へと垂直上向きに延伸する可撓性ワイヤから一体的に形成されるガイド要素２３へと略水平に延伸する。  
したがって、図３Ｂに示すように、接続要素２０は、レール６の長手方向において横向きに見たときに、略Ｕ字状の輪郭を与えられる。  
ホルダ１０はＵ字状輪郭の脚部に設けられ、一方で、ガイド要素２３は、反対側でワイヤと一体的に形成される。  
接続要素２０を取り付ける目的のために、接続要素２０は、引き戸３の後ろ側に固定されるときに、下からホルダ１０へと挿入することができる。  
同様に、引き戸３に対するホルダ１０の固定が行われる前に、接続要素２０をホルダ１０へと挿入することも可能である。
【００２２】
図４は、接続要素２０’の修正された実施形態を示し、図３Ａおよび図３Ｂに示す実施形態とは対照的に、部分２２’がホルダ１０とガイド要素２３との間で互いに交差している。  
それを別にすれば、接続要素２０’およびホルダ１０は、先行する実施形態におけるように形成される。
【００２３】
図５Ａおよび図５Ｂは、接続要素２０の引き戸３への取り付けを示す。  
最初に、端部部分２１が受け口１３へと挿入され、その後、接続要素２０が、端部部分２１によって形成される水平軸を中心として旋回される。  
その後、図５Ｂに示すように、部分２４がホルダ１０上の掛け留め受け口１４へと掛け留めされる。  
したがって、２つの部分２２が実質的に水平に方向付けられ、したがって、弓状ガイド要素２３が下向きに開いている溝７へと略垂直に挿入され、したがって、引き戸３がレール６の長手方向に垂直に移動することを防止することができる。
【００２４】
取り付け中に引き戸３が床に配置されているとき、図５Ｃに示すように、必要に応じて接続要素２０はさらに上向きに旋回することができるため、接続要素２０は床に損傷を与え得ない。  
その後、可撓性ワイヤが掛け留め受け口１４から離され、上向きに旋回される。  
これによって、接続要素２０の塑性変形および床への損傷が確実に防止される。  
これは、角度のついたシート材料から構成される従来技術によるガイド要素においては可能ではない。
【００２５】
図６は、ガイドデバイスの修正された実施形態を示し、修正されたホルダ３０および修正された接続要素４０が設けられている。  
ホルダ３０は、板状構成要素として形成され、引き戸３に固定するためにねじを挿入することができる２つの開口３１を備える。  
引き戸３に面するホルダ３０の後ろ側に、接続要素４０の端部部分４１を挿入することができる挿入開口３２および３３が設けられている。  
接続要素４０はここでも、円形断面を有する撓んだワイヤから構成され、接続要素は、垂直端部部分４１と、ブラケット状ガイド要素４３を介して互いに接続されている、相互に離間された２つの水平部分４２とを備える。  
ガイド要素４３は、ワイヤと一体的に形成される。
【００２６】
挿入開口３２または３３は、ガイド要素４３とホルダ１０との間の距離を設定するために、接続要素４０を取り付けるために自由に選択することができる。
【００２７】
図８（Ａ）において、端部部分４１は、さらに内側に配置されている挿入開口３３が自由なままであるように、さらに外側に配置されている挿入開口３２に挿入されている。  
結果として、ガイド要素４３は、外側の挿入開口３２よりも短い距離に配置されている内側挿入開口３３に端部部分４１が挿入されている図８（Ｂ）に示す位置よりも、ホルダ３０の近くに配置される。  
ホルダ３０とガイド要素４３との間の距離の差がＬであり、したがって、接続要素２０およびホルダ３０の構成に応じて、たとえば、１ｍｍ〜３０ｍｍ、特に３〜１２ｍｍの長さを設定することができる。
【００２８】
図９Ａおよび図９Ｂは、ガイドデバイスのさらなる実施形態を示しており、これは図６〜図８におけるように形成されているが、ブラケット状ガイド要素４３上にスライドボディ５０をさらに備える。  
スライドボディ５０は、ブラケット状ガイド要素４３に回転可能に取り付けられており、レール６’上の中央垂直ウェブ上で支持される溝５１を備える。  
したがって、引き戸３は正面側から取り付けることができ、レール６’の中央ウェブは、取り付け中に、図９Ａに示すように、スライドボディ５０が溝７’にねじ込まれることを保証する。  
取り付けられた位置において、スライドボディ５０は溝７’内に静止し、したがって、引き戸３がレール６’に沿って誘導されることを保証することができる。  
スライドボディ５０は、たとえば、プラスチックから構成され低摩擦を保証する、この目的のための正面接触面５２を備える。
【００２９】
図１０は、ガイド要素４３上のスライドボディ５０’の修正された実施形態を詳細に示す。  
スライドボディ５０’は、ガイド要素４３上で水平軸を中心として旋回することができ、剛直な構成も可能である。  
さらに、水平に配置されているスライドローラ５３が、スライドボディ５０’内に回転可能に固定されており、これは、スライドボディ５０’の垂直軸内に取り付けられている。  
スライドボディ５０’の取り付け位置において、スライドローラ５３の外面はレール６または６’の滑走面上で転がり離れ、したがって、それによって摩擦を低減することができる。
【００３０】
図１１は、接続要素４０の可撓性ワイヤの周囲に配置されている、スライドスリーブ６０を有するガイド要素４３の修正された実施形態を示す。  
スライドスリーブ６０は、ブラケット状ガイド要素４３の垂直部分に設けられ、これによって、ガイド要素４３とレール６または６’との間のより低い摩擦が保証される。
【００３１】
示されている実施形態において、接続要素のワイヤまたは特別なスライドボディ５０、５０’またはスライドスリーブ６０のいずれかの部分が、ガイド要素として設けられている。  
明らかに、レール６または６’のトラック上から転がり離れる、ガイド要素として別様に形成されているスライドボディを提供することも可能である。  
さらに、レール６または６’が備える形状に応じて、スライドボディの形状は変更されてもよい。
【００３２】
示されている実施形態において、端部部分２１および４１はそれぞれ、引き戸３に固定されているホルダ１０または３０に固定されている。  
明らかに、端部部分２１および４１をガイド要素に固定し、ブラケット状部分をホルダ１０または３０に固定することも可能である。  
さらに、接続要素の形状は、ガイドデバイスに対する柔軟な調整を可能にするために、可撓性ワイヤの使用に基づいて変更することができる。
【符号の説明】
【００３３】
１  一個のキャビネット家具
２  家具本体
３  引き戸
４  引き戸
５  レール
６、６’  レール
７、７’  溝
８  溝
１０  ホルダ
１１  開口
１２  ウェブ
１３  受け口
１４  掛け留め受け口
２０、２０’  接続要素
２１  端部部分
２２、２２’  部分
２３  ガイド要素
２４  部分
３０  ホルダ
３１  開口
３２  挿入開口
３３  挿入開口
４０  接続要素
４１  端部部分
４２  部分
４３  ガイド要素
５０、５０’  スライドボディ
５１  溝
５２  接触面
５３  スライドローラ
６０  スライドスリーブ
Ｌ  長さの差
【図１】
0006496313.tif 000002
【図２】
0006496313.tif 000003
【図３Ａ】
0006496313.tif 000004
【図３Ｂ】
0006496313.tif 000005
【図４】
0006496313.tif 000006
【図５Ａ】
0006496313.tif 000007
【図５Ｂ】
0006496313.tif 000008
【図５Ｃ】
0006496313.tif 000009
【図６】
0006496313.tif 000010
【図７】
0006496313.tif 000011
【図８】
0006496313.tif 000012
【図９Ａ】
0006496313.tif 000013
【図９Ｂ】
0006496313.tif 000014
【図１０】
0006496313.tif 000015
【図１１】
0006496313.tif 000016